(57)【特許請求の範囲】
【請求項１】
方形状に枠組みしてなる枠体内に障子を納め、前記枠体は金属製の室外枠部材と室内枠部材とを樹脂製のブリッジ材で連結してなるサッシにおいて、
前記室外枠部材と室内枠部材は、互いに対向する位置にそれぞれ前記ブリッジ材を嵌合させる凹部を備えた固定面部を備え、
前記室外枠部材と室内枠部材の内周面には、各固定面部間を渡すようにブリッジ材カバーが設けられて前記ブリッジ材が露出しないように被覆し、前記ブリッジ材カバーは、前記室外枠部材の固定面部と前記室内枠部材の固定面部とに前記ブリッジ材のカシメ固定により形成される係合部に対して嵌入固定される挿入部を備え、該挿入部は、くの字形を対向させた形状を有し前記固定面部間の空間部の形状に適合して係合されることを特徴とするサッシ。
【請求項２】
前記ブリッジ材のカシメ固定により形成される係合部間に形成される空間部は、前記枠体の内周面側から前記ブリッジ材側に向かって広がるように形成されることを特徴とする請求項１記載のサッシ。
【請求項３】
前記ブリッジ材カバーは前記枠体の内周面と略面一状となる薄板状の被覆部を備え、該被覆部は少なくとも各固定面部のうち前記枠体の内周面側部を被覆する幅を有してなることを特徴とする請求項１または２記載のサッシ。
【発明の詳細な説明】
【技術分野】
【０００１】
本発明は、主にビルの窓として設置されるサッシに関し、特に金属製の室外枠部材と室内枠部材とを樹脂製のブリッジ材で連結してなるサッシに関する。
【背景技術】
【０００２】
従来、建物開口部に設けられるサッシの断熱性を高めるため、金属製の室外枠部材と室内枠部材とを、樹脂製のブリッジ材で連結することが知られている。金属製の部材を樹脂製のブリッジ材で室内外に連結することにより、室外側に露出する室外枠部材と室内側に露出する室内枠部材とを熱的に絶縁することができ、断熱性を高くすることができる。このようなブリッジ構造により断熱性を高くしたサッシとしては、例えば特許文献１に挙げるようなものがある。
【先行技術文献】
【特許文献】
【０００３】
【特許文献１】特開２００５−２００９３２号公報
【発明の概要】
【発明が解決しようとする課題】
【０００４】
ブリッジ材が設けられる部分は、室外枠部材と室内枠部材の間に隙間が生じ、またブリッジ材は黒色等の樹脂材によって形成されるから、当該部分が枠体の内周面から露出することは、意匠性を損ねることとなる。このため、当該部分を被覆するブリッジ材カバーが設けられる。
【０００５】
枠体の内周面に対して係合固定されたり、あるいはネジ止め固定されるなどして、固定されていた。枠体には、窓の種類や寸法の違いにより、様々な種類があり、また枠体を構成する上下枠及び縦枠も、それぞれ構造が異なっているから、従来のブリッジ材カバーは、それぞれの枠材に対応して多くの種類を用意しておく必要があった。また、枠材の構造によっては、固定が困難な場合もあった。
【０００６】
本発明は前記課題を鑑みてなされたものであり、枠材の構造にかかわらず共通して固定可能であり、また固定作業も容易なブリッジ材カバーを有するサッシを提供することを目的とする。
【課題を解決するための手段】
【０００７】
前記課題を解決するため、本発明に係るサッシは、方形状に枠組みしてなる枠体内に障子を納め、前記枠体は金属製の室外枠部材と室内枠部材とを樹脂製のブリッジ材で連結してなるサッシにおいて、
前記室外枠部材と室内枠部材は、互いに対向する位置にそれぞれ前記ブリッジ材を嵌合させる凹部を備えた固定面部を備え、
前記室外枠部材と室内枠部材の内周面には、各固定面部間を渡すようにブリッジ材カバーが設けられて前記ブリッジ材が露出しないように被覆し、前記ブリッジ材カバーは、前記室外枠部材の固定面部と前記室内枠部材の固定面部とに前記ブリッジ材のカシメ固定により形成される係合部に対して嵌入固定される挿入部を備え、該挿入部は、くの字形を対向させた形状を有し前記固定面部間の空間部の形状に適合して係合されることを特徴として構成されている。
【０００８】
また、本発明に係るサッシは、前記ブリッジ材のカシメ固定により形成される係合部間に形成される空間部は、前記枠体の内周面側から前記ブリッジ材側に向かって広がるように形成されることを特徴として構成されている。
【０００９】
さらに、本発明に係るサッシは、前記ブリッジ材カバーは前記枠体の内周面と略面一状となる薄板状の被覆部を備え、該被覆部は少なくとも各固定面部のうち前記枠体の内周面側部を被覆する幅を有してなることを特徴として構成されている。
【発明の効果】
【００１０】
本発明に係るサッシによれば、室外枠部材と室内枠部材の内周面には、各固定面部間を渡すようにブリッジ材カバーが設けられてブリッジ材が露出しないように被覆し、ブリッジ材カバーは、室外枠部材の固定面部と室内枠部材の固定面部とにブリッジ材のカシメ固定により形成される係合部に対して嵌入固定される挿入部を備えてなることにより、ブリッジ材カバーを固定面部間の領域に固定することができるので、枠体の構造によらずブリッジ材カバーの固定をなすことができ、様々な種類の枠体に同じ部品を共用化でき、コストダウンを図ることができる。また、ブリッジ材カバーを固定面部間の領域に挿入するだけで固定できるので、ブリッジ材カバーの取付作業も容易にすることができる。
【００１１】
また、本発明に係るサッシによれば、ブリッジ材のカシメ固定により形成される係合部間に形成される空間部は、枠体の内周面側からブリッジ材側に向かって広がるように形成されることにより、固定面部間の領域の開口部分が狭く、奥ほど広くなるので、ブリッジ材カバーが抜けにくく、強固な固定をなすことができる。
【００１２】
さらに、本発明に係るサッシによれば、ブリッジ材カバーは枠体の内周面と略面一状となる薄板状の被覆部を備え、被覆部は少なくとも各固定面部のうち枠体の内周面側部を被覆する幅を有してなることにより、ブリッジ材をカシメにより固定する場合に、変形する固定面部の内周面側部を被覆部により被覆するので、意匠性を損なうことを防止することができる。
【図面の簡単な説明】
【００１３】
【図１】第１の実施形態におけるサッシの縦断面図である。
【図２】第１の実施形態におけるサッシの横断面図である。
【図３】右縦枠におけるブリッジ材固定前後の断面図である。
【図４】図１の上枠付近拡大図であって、連結ネジを省略した図である。
【図５】上枠を下方から見た図である。
【図６】下枠を上方から見た図である。
【図７】右縦枠の分解拡大断面図である。
【図８】ブリッジ材カバーを取付けた右縦枠の拡大断面図である。
【図９】第２の実施形態におけるサッシの縦断面図である。
【図１０】第２の実施形態におけるサッシの横断面図である。
【図１１】第３の実施形態におけるサッシの縦断面図である。
【図１２】第３の実施形態におけるサッシの横断面図である。
【発明を実施するための形態】
【００１４】
本発明の実施形態について図面に沿って詳細に説明する。図１には第１の実施形態におけるサッシの縦断面図を、図２には第１の実施形態におけるサッシの横断面図を、それぞれ示している。これら各図に示すように、本実施形態のサッシは、方形状に枠組みしてなる枠体１内に内障子２と外障子３を引き違い状に納めてなる引き違いサッシである。内障子２と外障子３は、いずれも方形状の框体４内にガラス板からなるパネル体５を納めて構成されている。
【００１５】
枠体１は、上枠１０と下枠１１及び左右の縦枠１２、１２からなり、これらの部材で上下左右の辺を構成している。また、枠体１を構成する上枠１０と下枠１１及び縦枠１２は、それぞれいずれも金属製の室内枠部材２０と室外枠部材２１とを、樹脂製のブリッジ材２２で連結して構成されている。これにより、室外側に露出する室外枠部材２１と室内側に露出する室内枠部材２０との間を断熱し、サッシの断熱性能を高くすることができる。
【００１６】
室内枠部材２０は、枠体１のうち室内側面を構成している。一方、室外枠部材２１は、枠体１のうち、内障子２と外障子３を納める部分を構成している。上下左右各辺の室外枠部材２１には、それぞれ外周面にアンカー部材８が固定されており、このアンカー部材８が建物駆体に対して固定され、これによって枠体１を固定している。
【００１７】
上枠１０の室外枠部材２１には、外障子３を案内する外レール１０ａが形成されている。また、外レール１０ａの室内側であって上枠１０内周面の中央位置には、中央フィン１０ｂが形成されている。この中央フィン１０ｂより室内側には、室外枠部材２１と室内枠部材２０とによって凹状案内部１０ｃが形成される。内障子２の上辺には、案内部材２ａが設けられており、この案内部材２ａが凹状案内部１０ｃに当接し、摺動することにより内障子２が上枠１０により長手方向に案内される。下枠１１の室外枠部材２１には、内レール１１ａと外レール１１ｂが形成されており、それぞれ内障子２と外障子３を載置させ、長手方向に案内可能としている。
【００１８】
ブリッジ材２２は、枠体１の四周各辺の長手方向に沿ってそれぞれ見付方向内外に２本ずつが離隔して配設されており、それぞれの室内端部が室内枠部材２０に、室外端部が室外枠部材２１に、嵌入されて、両者を連結した状態としている。
【００１９】
室内枠部材２０と室外枠部材２１の互いに対向する位置には、それぞれブリッジ材２２を嵌合させる凹部２３ａを備えた固定面部２３、２３が形成されている。室内枠部材２０の固定面部２３は、室外側に向かう面に２つの凹部２３ａが並設配置されてなり、室外枠部材２１の固定面部２３は、室内側に向かう面に２つの凹部２３ａが並設配置されてなる。
【００２０】
固定面部２３により固定されるブリッジ材２２の位置は、上枠１０においては凹状案内部１０ｃの室内側寄りの外周部であり、下枠１１においては内レール１１ａと室内側面との間の位置であり、縦枠１２においては室外枠部材２１の内周面に形成される内障子飲込フィン１２ｄと室内側面との間の位置である。
【００２１】
このように、室内枠部材２０は枠体１の室内側面だけを構成し、ブリッジ材２２による室内枠部材２０と室外枠部材２１の連結位置を、上下左右各辺において上述のような配置としたことにより、ブリッジ材２２を最低限のスペースに納めることができ、枠体１の見込方向寸法を小さくしたスリムなサッシとすることができる。
【００２２】
ここで、ブリッジ材２２の固定について説明する。図３には、図２中右側の縦枠１２についてブリッジ材２２固定前後の断面図を示している。図３（ａ）に示すように、ブリッジ材２２の固定前において、固定面部２３の内外周面は、室内外方向に真っ直ぐな方向を向いており、また固定面部２３の互いに対向する端部には、それぞれ内外周側に突出する突部２３ｂが形成されている。
【００２３】
図３（ａ）の状態において、固定面部２３の凹部２３ａはブリッジ材２２の端部よりも幅広であるので、ブリッジ材２２を長手方向にスライドさせることで、容易に挿入することができる。ブリッジ材２２を図３（ａ）のように挿入したら、固定面部２３の内外周面をローラーにより押圧する。このとき、突部２３ｂに大きな圧力がかかり、またブリッジ材２２の端部は、端面に向かって広がるように形成されているので、固定面部２３の内外周面は端部が内側に折れ曲がり、ブリッジ材の端部形状に沿うように変形する。これにより、図３（ｂ）に示すように、固定面部２３の凹部２３ａの幅が狭くなり、ブリッジ材２２がカシメられ固定される。それと同時に、突部２３ｂが変形した部分は、後述するブリッジ材２２を係合させる係合部２８となる。
【００２４】
図１及び図２に示すように、枠体１の室内側面には、四周に渡ってアングル部材６が設けられる。アングル部材６は、枠体１の上下左右の各辺に当接し、それぞれ固定ネジ２５によるネジ止めによって固定される。
【００２５】
室内枠部材２０と室外枠部材２１は、ブリッジ材２２のみで連結されることにより、断熱性を高くすることができるが、その一方で、火災の際には樹脂製のブリッジ材２２が脱落して、室内枠部材２０も脱落する可能性がある。これを防止するため、枠体１の四辺それぞれにおいて、室内枠部材２０と室外枠部材２１を連結する。本実施形態においては、上枠１０と縦枠１２については、連結ネジ２６による連結をなし、下枠１１については、連結部材２７による連結をなしている。
【００２６】
図４には、図１のうち上枠１０付近の拡大図を示している。この図では、室内枠部材２０と室外枠部材２１を連結する連結ネジ２６は省略している。図４に示すように、アングル部材６を固定するための固定ネジ２５は、室内枠部材２０の固定面部２３から２本のブリッジ材２２の間の領域に挿通され固着されている。固定ネジ２５の先端は、ブリッジ材２２の間の領域に止まるようにされており、アングル部材６と室外枠部材２１とが、金属材からなる固定ネジ２５で接続されないようにして、断熱性の低下を防止している。
【００２７】
また、図４では省略しているが、図１に示すように、室内枠部材２０と室外枠部材２１とを防火のために連結する連結ネジ２６も、固定ネジ２５が挿通される位置と長手方向のみが異なる同位置に挿通される。固定ネジ２５は、室内枠部材２０の室内面に形成された凹部に頭部が納まるように配置されており、アングル部材６との干渉を防止している。
【００２８】
下枠１１においては、図１に示されているように、アングル部材６を固定する固定ネジ２５は、上枠１０の場合と同様に、２本のブリッジ材２２の間の領域に挿通されている。また、室内枠部材２０と室外枠部材２１にそれぞれ連結部材２７がネジ止めされることで、連結部材２７を介して室内枠部材２０と室外枠部材２１とを防火のために連結している。連結部材２７は、小片状の金属製部材からなり、下枠１１の長手方向の少なくとも１箇所に設けられる。
【００２９】
縦枠１２については、図２に示すように、上枠１０と同様の構造によりアングル部材６が固定ネジ２５により固着されている。すなわち、固定ネジ２５は２本のブリッジ材２２の間の領域に挿通されている。また、上枠１０と同様に、連結ネジ２６を２本のブリッジ材２２の間の領域に挿通することで、室内枠部材２０と室外枠部材２１とを防火のために連結している。
【００３０】
このように、アングル部材６を固定する固定ネジ２５を、見付方向内外に離隔して２本配置されたブリッジ材２２の間の領域に挿通することで、見付方向における省スペース化を図ることができ、前述の見込方向におけるスリム化と共に、見付方向においてもスリム化を図ることができる。また、室内枠部材２０と室外枠部材２１を防火のために連結する連結ネジ２６についても、固定ネジ２５と長手方向にのみ異なる同位置に配置しているので、見付方向のさらなる省スペース化を図ることができる。
【００３１】
枠体１の四辺に設けられる２本のブリッジ材２２は、いずれもその間隔が固定ネジ２５や連結ネジ２６の外径と同等とされており、したがって、これら固定ネジ２５や連結ネジ２６を挿通させる際のガイドとすることもでき、施工性を良好にすることができる。
【００３２】
枠体１の内周面には、ブリッジ材２２を隠して意匠性を向上させるため、樹脂製のブリッジ材カバー２４が四辺にそれぞれ設けられる。図１に示すように、上枠１０には内外中央位置に中央フィン１０ｂが形成されており、この中央フィン１０ｂと室内側面とに渡るように、ブリッジ材カバー２４が設けられている。また、下枠１１については、内レール１１ａと室内側面との間に渡るように、ブリッジ材カバー２４が設けられている。
【００３３】
図２に示すように、縦枠１２は左右で内周面の構成が異なっている。外障子３が配置される左側の縦枠１２は、内周面の内外中央位置に外障子３の室内面と対向する外障子対向フィン１２ａを有し、さらに内周面の外障子対向フィン１２ａより室外側に外障子３端部の凹状領域に飲み込まれる外障子飲込フィン１２ｂを有している。外障子３が配置される左側の縦枠１２には、内周面の室内側面から外障子対向フィン１２ａに渡ってブリッジ材カバー２４が設けられている。
【００３４】
内障子２が配置される右側の縦枠１２は、内周面の内外中央位置に内障子２の室外面と対向する内障子対向フィン１２ｃを有し、さらに内周面の内障子対向フィン１２ｃより室内側に内障子２端部の凹状領域に飲み込まれる内障子飲込フィン１２ｄを有している。内障子２が配置される右側の縦枠１２には、内周面の室内側面から内障子飲込フィン１２ｄの間の領域に、ブリッジ材カバー２４が設けられている。
【００３５】
図５には上枠１０を下方から見た図を示している。この図に示すように、上枠１０の長手方向中央位置には、上中央気密ブロック１３が設けられている。上中央気密ブロック１３は、下面に複数のヒレを有しており、内障子２と外障子３の召合わせ部分に配置されて、召合わせ部分における気密性を確保する。また、上枠１０の両端部には、内障子２と外障子３にそれぞれ当接する上端部ブロック１４、１４が配置される。上端部ブロック１４は、内障子２が配置される側の端部には室外側に、外障子３が配置される側の端部には室内側に、それぞれ配置されて、内障子２や外障子３が全開状態となったときに当接して、框体４が枠体１に衝突することを防止する。さらに、上枠１０の凹状案内部１０ｃには、長手方向の２箇所に、内障子２の振れ止めのための外れ止めストッパー１５が配置される。
【００３６】
上枠１０においてブリッジ材カバー２４は、外障子３が配置される側の一方の端部に設けられる上端部ブロック１４から上中央気密ブロック１３までと、上中央気密ブロック１３から外れ止めストッパー１５までと、外れ止めストッパー１５間と、外れ止めストッパー１５から内障子２が配置される側の他方の端部までに、それぞれ渡るように設けられる。したがって、上枠１０において、室内枠部材２０の固定面部２３と室外枠部材２１の固定面部２３間の領域は、ブリッジ材カバー２４と上中央気密ブロック１３、上端部ブロック１４、及び外れ止めストッパー１５によって、上枠１０の長手方向全長に渡って被覆される。
【００３７】
図６には下枠１１を上方から見た図を示している。この図に示すように、下枠１１の長手方向中央位置には、下中央気密ブロック１６が設けられている。下中央気密ブロック１６も、上面に複数のヒレを有しており、内障子２と外障子３の間に配置されて、召合わせ部分における気密性を確保する。また、下枠１１の両端部には、内障子２と外障子３にそれぞれ当接する下端部ブロック１７、１７が設けられている。
【００３８】
下枠１１においてブリッジ材カバー２４は、外障子３が配置される側の一方の端部に設けられる下端部ブロック１７から下中央気密ブロック１６までと、下中央気密ブロック１６から内障子２が配置される側の他方の端部までに、それぞれ渡るように設けられる。したがって、下枠１１において、室内枠部材２０の固定面部２３と室外枠部材２１の固定面部２３間の領域は、ブリッジ材カバー２４と下中央気密ブロック１６及び下端部ブロック１７によって、下枠１１の長手方向全長に渡って被覆される。
【００３９】
縦枠１２については、上枠１０から下枠１１に渡るようにブリッジ材カバー２４が設けられ、室内枠部材２０の固定面部２３と室外枠部材２１の固定面部２３間の領域が長手方向に沿って被覆される。
【００４０】
図７には内障子２が配置される右側の縦枠１２の拡大分解断面図を、図８にはブリッジ材カバー２４を取付けた右側の縦枠１２の拡大断面図を、それぞれ示している。この縦枠１２に取付けられるブリッジ材カバー２４は、縦枠１２の内周面を被覆する平面状の被覆部２４ａと、被覆部２４ａの背面側から突出する挿入部２４ｂとからなっている。このブリッジ材カバー２４は、室内枠部材２０の固定面部２３と室外枠部材２１の固定面部２３及びブリッジ材２２によって形成される凹状の領域からなる空間部２９に対して、挿入部２４ｂが挿入され係合固定される。
【００４１】
室内枠部材２０の固定面部２３と室外枠部材２１の固定面部２３は、前述のようにカシメに際して変形し、一対の係合部２８を形成しており、空間部２９は、枠体１の内周面側からブリッジ材２２側に向かって広がるような凹状となっている。ブリッジ材カバー２４の挿入部２４ｂは、その形状に適合して係合するように、くの字形を対向させたような形状を有している。これを空間部２９に挿入することで、ブリッジ材カバー２４を容易に固着することができる。
【００４２】
ブリッジ材カバー２４の被覆部２４ａは、図８に示されているように、枠体１の内周面と略面一状となるような薄板状に形成されており、互いに対向する固定面部２３、２３の内周面側を少なくとも覆う幅を有している。前述のように、固定面部２３はカシメの際に押圧され変形しているので、被覆部２４ａによってこの領域も覆うことで、意匠性を良好に保つことができる。
【００４３】
このように、少なくとも一辺のブリッジ材カバー２４について、室内枠部材２０の固定面部２３と室外枠部材２１の固定面部２３とで形成される一対の係合部２８に対して係合固定されるようにしたことで、ブリッジ材カバー２４を容易に取付けることができ、また、枠体１の形状によらず、係合箇所を確保することができるので、他の種類の窓にも用いることができ、部品の共用化によるコストダウンを図ることができる。
【００４４】
なお、本実施形態においては、枠体１の室内側面にアングル部材６が四周に渡って設けられ、固定ネジ２５によって枠体１に固着されているが、アングル部材６を有しない枠体１も存在し、その場合には、ブリッジ材２２間には連結ネジ２６のみが挿通される。
【００４５】
次に、本発明の第２の実施形態について説明する。図９には第２の実施形態におけるサッシの縦断面図を、図１０には第２の実施形態におけるサッシの横断面図を、それぞれ示している。これら各図に示すように、本実施形態のサッシは、枠体１内にパネル体５を納めてなる嵌め殺し窓として構成されている。
【００４６】
枠体１は、上枠１０と下枠１１及び左右の縦枠１２、１２を方形状に枠組みしてある。また、第１の実施形態と同様に、枠体１を構成する各部材は、金属製の室外枠部材２１と室内枠部材２０とを、樹脂製のブリッジ材２２で室内外に連結してなるものである。室内枠部材２０及び室外枠部材２１の固定面部２３とブリッジ材２２の構造は、第１の実施形態と同様である。
【００４７】
本実施形態では、ブリッジ材２２及び固定面部２３の位置が、パネル体５の外周側であるため、これらが露出することがなく、したがって、ブリッジ材カバー２４は設けられていない。また、防火のため室内枠部材２０と室外枠部材２１とを連結させる構造については、本実施形態では、四周とも連結部材２７により連結をなしている。
【００４８】
次に、本発明の第３の実施形態について説明する。図１１には第３の実施形態におけるサッシの縦断面図を、図１２には第３の実施形態におけるサッシの横断面図を、それぞれ示している。これら各図に示すように、本実施形態のサッシは、枠体１内に障子７を開閉自在に納めた辷り出し窓として構成されている。
【００４９】
枠体１は、上枠１０と下枠１１及び左右の縦枠１２、１２を方形状に枠組みしてある。また、第１の実施形態と同様に、枠体１を構成する各部材は、金属製の室外枠部材２１と室内枠部材２０とを、樹脂製のブリッジ材２２で室内外に連結してなるものである。室内枠部材２０及び室外枠部材２１の固定面部２３とブリッジ材２２の構造は、第１の実施形態と同様である。
【００５０】
本実施形態では障子７が開閉するため、枠体１の内周面は四周に渡って露出することとなる。このため、本実施形態では、四周それぞれにブリッジ材カバー２４を設けている。そのブリッジ材カバー２４は、いずれも図４、５に示されていたものと同じ部品であり、これを四周各辺にそれぞれ取付けている。防火のため室内枠部材２０と室外枠部材２１とを連結させる構造については、第２の実施形態と同様、四周とも連結部材２７により連結をなしている。
【００５１】
以上、本発明の実施形態について説明したが、本発明の適用はこれらの実施形態には限られず、その技術的思想の範囲内において様々に適用されうるものである。
【符号の説明】
【００５２】
１    枠体
２    内障子
３    外障子
４    框体
５    パネル体
６    アングル部材
７    障子
１０    上枠
１１    下枠
１２    縦枠
２０    室内枠部材
２１    室外枠部材
２２    ブリッジ材
２３    固定面部
２３ａ  凹部
２４    ブリッジ材カバー
２４ａ  被覆部
２４ｂ  挿入部
２５    固定ネジ
２６    連結ネジ
２７    連結部材
２８    係合部
２９    空間部
【図１】
0005608911.tif 000002
【図２】
0005608911.tif 000003
【図３】
0005608911.tif 000004
【図４】
0005608911.tif 000005
【図５】
0005608911.tif 000006
【図６】
0005608911.tif 000007
【図７】
0005608911.tif 000008
【図８】
0005608911.tif 000009
【図９】
0005608911.tif 000010
【図１０】
0005608911.tif 000011
【図１１】
0005608911.tif 000012
【図１２】
0005608911.tif 000013